(57)【要約】【課題】視聴者にとっては簡易な操作で必要な情報が得ることができ、広告企業にとっては視聴者に積極的にアピールすることができる広告コンテンツ配信システムを提供する。【解決手段】放送システムは、ＣＭバンク２０や番組バンク３０，回線センター１０からの映像を番組コンテンツデータとして送出する番組コンテンツ送出装置４０と、各企業の広告の見出し一覧が掲載されたリストページと見出しのそれぞれにリンクされ、企業の広告が掲載された広告コンテンツページとを有する広告ページを、広告コンテンツデータとして送出するデータ放送送出装置５０と、番組コンテンツデータと広告コンテンツデータとを多重化する多重装置６０と、放送データとして地上デジタル放送波で送信する送信装置７０とを備えている。データ放送送出装置５０は、見出しリストが２ページ以上あるときに、時間の経過と共にトップページが入れ替わる広告ページを送出する。【選択図】図２
2010268152.tif 000002
【特許請求の範囲】
【請求項１】
番組やコマーシャルを、番組コンテンツデータとして送出する番組コンテンツ送出装置と、
テレビ受信機側でｄボタン押下により表示されるデータ放送の広告ページであって、各企業の広告の見出し一覧が掲載されたリストページと当該リストページの見出しのそれぞれにリンクされ、前記企業の広告が掲載された広告コンテンツページとを有する広告ページを、広告コンテンツデータとして送出するデータ放送送出装置と、
前記番組コンテンツデータと前記広告コンテンツデータとを多重化して放送データとする多重化装置と、
前記放送データを地上デジタル放送波で送信する送信装置とを備え、
前記データ放送送出装置は、前記リストページの見出しリストが２ページ以上あるときに、時間の経過と共にトップページが入れ替わる広告ページを送出することを特徴とする広告コンテンツ配信システム。
【請求項２】
前記データ放送送出装置は、前記リストページの見出しリストが２ページ以上あっても、前記広告ページの閲覧開始から閲覧終了までは前記見出しリスト間の入れ替わりがない広告ページを送出する請求項１記載の広告コンテンツ配信システム。
【請求項３】
前記データ放送送出装置は、タイムリーな情報を提供する広告の掲載要求を示す更新情報に応じて、当該広告を広告コンテンツページに掲載する広告ページについて、指定された時間に、前記更新情報と、前記広告コンテンツページに掲載される当該広告を示す広告データとを送出する請求項１又は２記載の広告コンテンツ配信システム。
【請求項４】
前記データ放送送出装置は、指定された時間に、元の広告コンテンツページに戻すことを要求する更新情報を送出する請求項３記載の広告コンテンツ配信システム。
【請求項５】
前記データ放送送出装置は、前記リストページに掲載されたそれぞれの見出しに、広告の地域を示す広告地域情報が関連付けられ、前記テレビ受信機が設置された地域を特定する地域識別情報に基づいて閲覧可能とする見出しを選択する広告ページを送出する請求項１から４のいずれかの項に記載の広告コンテンツ配信システム。
【発明の詳細な説明】
【技術分野】
【０００１】
本発明は、地上デジタル放送で、テレビ放送と共に放送局から送信されるデータ放送を利用して広告コンテンツを配信する広告コンテンツ配信システムに関するものである。
【背景技術】
【０００２】
地上デジタル放送は、放送局からテレビ放送と共に送信されるデータ放送により、様々なコンテンツが配信されている。コンテンツの内容としては、天気予報やニュースなどが一般的であるが、放送中の番組の紹介やイベントの告知などもリアルタイムに配信されており、視聴者にとっては利便性が高い。
【０００３】
このデータ放送を用いて電子チラシと称される広告コンテンツを配信することが提案されている。例えば、特許文献１に記載の電子チラシ配布システムは、データ放送を用いて、メインスポンサーの提供する商品の情報や、その商品の割引率等の情報、電子チラシ管理サーバにアクセスする為のアドレス情報等を含む簡易電子チラシを放送する放送局と、放送局からのデータ放送により簡易電子チラシ情報を受信して携帯端末に送信するテレビ受信機と、電子チラシ管理サーバから詳細電子チラシ情報を取得する携帯端末とから構成されたものである。
【０００４】
また、特許文献２に記載のチラシ情報配布システムは、各家庭の消費者が受信機のリモコンを操作して、キーワードを設定し、チラシ配布サービスを展開する事業主（応答サーバ会社）の応答サーバへ送信しておくことで、消費者が望むチラシをモニタ上に表示させることができるものである。
【先行技術文献】
【特許文献】
【０００５】
【特許文献１】特開２００８−２１７７０７号公報
【特許文献２】特開２００１−３５７２８７号公報
【発明の概要】
【発明が解決しようとする課題】
【０００６】
しかし、特許文献１では電子チラシ管理サーバにアクセスする為のアドレス情報に基づいて携帯電話で電子チラシ管理サーバへアクセスしたり、特許文献２では登録したキーワードをネットワークを介してサーバへ送信したりしているので、必要な情報が簡単に得られるものではない。
【０００７】
視聴者は、リビングやダイニング、寝室などで、くつろぎながらテレビ放送を楽しむ場合が多く、このような状態のときに積極的にパーソナルコンピュータや携帯電話などを操作してネットワークを介して情報を得ようとするものは、少ないと考えられる。
従って、広告主である広告企業は、面倒なことが嫌いな視聴者に、自社の広告コンテンツを掲載したデータ放送を見て貰うことで、自社製品やサービスを積極的にアピールできることを望んでいる。そうなれば、売上げの向上が期待できる。
【０００８】
そこで本発明は、視聴者にとっては簡易な操作で必要な情報が得ることができ、広告企業にとっては視聴者に積極的にアピールすることができる広告コンテンツ配信システムを提供することを目的とする。
【課題を解決するための手段】
【０００９】
本発明の広告コンテンツ配信システムは、番組やコマーシャルを、番組コンテンツデータとして送出する番組コンテンツ送出装置と、テレビ受信機側でｄボタン押下により表示されるデータ放送の広告ページであって、各企業の広告の見出し一覧が掲載されたリストページと当該リストページの見出しのそれぞれにリンクされ、前記企業の広告が掲載された広告コンテンツページとを有する広告ページを、広告コンテンツデータとして送出するデータ放送送出装置と、前記番組コンテンツデータと前記広告コンテンツデータとを多重化して放送データとする多重化装置と、前記放送データを地上デジタル放送波で送信する送信装置とを備え、前記データ放送送出装置は、前記リストページが２ページ以上あるときに、時間の経過と共にトップページが入れ替わる広告ページを送出することを特徴とする。
【００１０】
本発明の広告コンテンツ配信システムは、番組コンテンツ送出装置が番組コンテンツデータを送出し、データ放送送出装置がテレビ受信機側のｄボタン押下により表示されるデータ放送の広告ページを広告コンテンツデータとして送出し、多重化装置が番組コンテンツデータと広告コンテンツデータとを放送データとして多重化し、送信装置が放送データをデータ地上デジタル放送波として送信するものである。広告ページは、各企業の広告の見出し一覧である見出しリストが掲載されたリストページと、当該リストページの見出しのそれぞれにリンクされ、各企業の広告が掲載された広告コンテンツページとを備えたものである。従って、地上デジタル放送波が受信可能なテレビ受信機や映像記録装置の操作に不慣れな視聴者であっても、ｄボタンを押下するだけなので、視聴者は、簡単な操作で、気軽にデータ放送を閲覧することで、広告コンテンツに関する情報をリアルタイムに得ることができる。リストページの見出しリストがトップページに位置していると閲覧されやすいが、２ページ目以降ともなると閲覧されにくい傾向にある。広告の掲載を依頼した広告企業にとっては、その企業の見出しが２ページ目以降の見出しリストに掲載されてしまうと、トップページに掲載された企業との間に不公平感が生じる。視聴者にとっても、トップページに位置する見出しリストはいつ見ても同じという印象ができてしまう。見出しリストが２ページ以上あるときに、時間の経過と共に見出しリストのトップページを入れ替えた広告ページを、広告コンテンツ送出装置が送出することで、広告の見出しが当初見出しリストの２ページ目以降に位置した広告企業であっても、時間の経過によりトップページと入れ替わるので、広告企業は視聴者に積極的にアピールできると共に、公平感が得られる。また、視聴者は、手軽に、かつ新鮮な気持ちで広告ページを閲覧することができる。
【００１１】
前記データ放送送出装置は、前記リストページの見出しリストが２ページ以上あっても、前記広告ページの閲覧開始から閲覧終了までは前記見出しリスト間の入れ替わりがない広告ページを送出するのが望ましい。
例えば、視聴者が２ページ目の見出しリストの見出しにリンクされた広告コンテンツページを閲覧しているときに、時間の経過と共にトップページの見出しリストが入れ替わると、２ページ目の見出しリストがトップページとなってしまう場合が想定される。このような場合には、各広告企業の広告コンテンツページを順に閲覧していた視聴者がトップページに戻ってみると、先ほど見ていた２ページ目の見出しリストと同じものが表示されてしまっているという事態が発生する。そうなると視聴者は違和感を憶えることになり、操作も煩雑となる。広告コンテンツ送出装置が閲覧開始から閲覧終了までは見出しリスト間の入れ替わりがない広告ページを送出することで、視聴者に違和感なくスムーズに閲覧できる広告ページを提供することができる。
【００１２】
前記データ放送送出装置は、タイムリーな情報を提供する広告の掲載要求を示す更新情報に応じて、当該広告を広告コンテンツページに掲載する広告ページについて、指定された時間に、前記更新情報と、前記広告コンテンツページに掲載される当該広告を示す広告データとを送出するのが望ましい。
広告コンテンツページには、タイムリーな情報が掲載される。このタイムリーな情報は、データ放送送出装置が、タイムリーな情報を提供する広告の掲載要求を示す更新情報と、広告コンテンツページに掲載される当該広告を示す広告データとを指定された時間に送出することで、広告ページに掲載される。従って、広告企業は指定された時間に視聴者に対して情報を提供することができ、視聴者はリアルタイムにタイムセールを知ることができる。
【００１３】
前記データ放送送出装置は、指定された時間に、元の広告コンテンツページに戻すことを要求する更新情報を送出するのが望ましい。
タイムリーな情報でも時間の経過と共に状況が変われば不要な情報となる。従って、データ放送送出装置が掲載が不要となる時間に元の広告コンテンツページに戻す更新情報を送出することで、通常の広告コンテンツページに復帰させることできる。
【００１４】
前記データ放送送出装置は、前記リストページに掲載されたそれぞれの見出しに、広告の地域を示す広告地域情報が関連付けられ、前記テレビ受信機が設置された地域を特定する地域識別情報に基づいて閲覧可能とする見出しを選択する広告ページを送出するのが望ましい。
広告の地域を示す広告地域情報が関連付けられた見出しを、テレビ受信機が設置された地域を特定する地域識別情報に基づいて閲覧可能とするか否かを選択することで、リストページには視聴者が所在する地域の見出しのみが選択表示されるので、視聴者は必要とする情報を素早く得ることができる。
【発明の効果】
【００１５】
本発明は、ｄボタンの操作により広告ページを閲覧ができ、この広告ページのリストページの見出しリストが２ページ以上あるときに、時間の経過と共にトップページが入れ替わるので、視聴者にとっては簡易な操作で必要な情報が得ることができると共に、新鮮な気持ちで広告ページを閲覧することができ、広告企業にとっては視聴者に積極的にアピールすることができると共に、公平感が得られる。
【図面の簡単な説明】
【００１６】
【図１】本発明の実施の形態に係る放送システムの概略全体を示す図である。
【図２】図１に示す放送システムの局内設備を示すブロック図である。
【図３】図２に示す局内設備のデータ放送送出装置は送出する広告コンテンツデータの構成を示す図である。
【図４】データ放送のメニュー画面の一例を示す図である。
【図５】リストページの一例を示す図である。
【図６】リストページの一例を示す図である。
【図７】広告コンテンツページの一例を示す図である。
【図８】特売情報を含む広告コンテンツページの一例を示す図である。
【発明を実施するための形態】
【００１７】
本発明の実施の形態に係る広告コンテンツ配信システムを、放送システムを例に、図面に基づいて説明する。
【００１８】
図１に示すように放送システム１は、放送局から番組放送やデータ放送を、地上テジタル放送波として放送エリアに放送するものである。各家庭では、地上デジタル放送波が受信可能なテレビ受信機２を、視聴者がリモコンＲを操作することにより番組放送やデータ放送を視聴する。
【００１９】
放送システム１は、放送局に設置された局内設備Ｂｘと、局内設備Ｂｘからの放送データを各家庭に配信する放送塔設備Ｂｙと、局内設備Ｂｘに専用線Ｘを介して接続されたアップロードサーバＳＶと、アップロードサーバＳＶとインターネットＷを介して接続された広告ページを作成する端末装置ＴＭとを備えている。
局内設備Ｂｘは、図２に示すように、回線センター１０と、ＣＭバンク２０と、番組バンク３０と、番組コンテンツ送出装置４０と、データ放送送出装置５０と、多重化装置６０とを備えている。
【００２０】
回線センター１０は、衛星回線、中継回線、光回線、スタジオ、天気カメラなどの各回線からの映像を分配する装置である。ＣＭバンク２０は、コマーシャルの映像が格納された装置である。番組バンク３０は、収録済みの番組映像が格納された装置である。
【００２１】
番組コンテンツ送出装置４０は、放送順序に従って番組やコマーシャルなどの番組コンテンツを送出するＡＰＳ（Automatic Program control System）装置である。番組コンテンツ送出装置４０は、マスターマトリックス装置４１と、制御装置４２と、情報付加装置４３とを備えている。
【００２２】
マスターマトリックス装置４１は、回線センター１０、ＣＭバンク２０、番組バンク３０からの各映像を、制御装置４２からの制御により地上デジタル用、ワンセグ用、アナログ用など、として情報付加装置４３へ送出する装置である。
制御装置４２は、図示しない上位システムから送信された運行データにより、番組コンテンツの送出時間に基づいてマスターマトリックス装置４１の映像送出タイミングを制御するコンピュータである。
情報付加装置４３は、マスターマトリックス装置４１からの映像に、時刻表示や、天気情報、スポンサーのロゴ情報、速報情報などを付加する機能を備えたもので、地上デジタル用、ワンセグ用、アナログ用などごとに設置されている。
【００２３】
データ放送送出装置５０は、アップロードサーバＳＶからの広告コンテンツデータを、電気通信回線の一例である専用線Ｘを介して受信し、指定された時間に多重化装置６０へ送出する。
多重化装置６０は、各情報付加装置４３から送出された番組コンテンツデータと、データ放送送出装置５０から送出された広告コンテンツデータとを、それぞれエンコードすると共にこれらを多重化し、放送データとして送信装置７０へ出力する装置である。
放送塔設備Ｂｙには、送信装置７０が設置されている。送信装置７０は、多重化された放送データを変調して地上デジタル放送波として送信する装置である。
【００２４】
ここで、データ放送送出装置５０が専用線Ｘを介して受信し、多重化装置６０へ送出する広告コンテンツデータについて、図３に基づいて説明する。
【００２５】
広告コンテンツデータは、ＢＭＬ（Broadcast Markup Language）と称される言語で記述されたもので、企業からの広告が掲載された広告ページである。広告ページは、図３に示すように、リストページと広告コンテンツページとから構成されている。リストページには、広告コンテンツの見出しリストである見出しリスト情報Ｊ１１と、各種情報である設定情報Ｊ１２とが設けられている。また、リストページには、テレビ受信機や映像記録装置に予め設定されていたり、リモコンの操作により入力されたりする郵便番号を読み取る郵便番号読取手段Ｊ１３、リストページの表示制御を行うリスト閲覧制御手段Ｊ１４として機能するプログラムが含まれている。
設定情報Ｊ１２には、タイムリーな情報を提供する広告の掲載要求を示すタイムセール識別情報（更新情報）と、広告地域情報と、カテゴリ情報などが含まれている。
【００２６】
広告コンテンツページには、広告コンテンツのデータである広告コンテンツ情報Ｊ２１と、コンテンツページに掲載されるタイムセールに関する広告（広告データ）であるタイムセール情報Ｊ２２とが設けられている。また、広告コンテンツページには、広告コンテンツページの表示制御を行う広告コンテンツ閲覧制御手段Ｊ２３として機能するプログラムが含まれている。
【００２７】
リストページとは、各企業の広告の見出しの一覧である見出しリストが掲載されたページである。広告コンテンツページは、リストページの見出しリストのそれぞれの見出しにリンクされ、各企業の広告が掲載されたページである。リストページの見出しには、それぞれ広告の地域を示す広告地域情報と、カテゴリ別の分類を示すカテゴリ情報と、時限での特売広告の掲載要求を示すタイムセール識別情報とが関連付けられている。
【００２８】
この広告ページは、端末装置ＴＭにて作成された後、インターネットＷを介してアップロードサーバＳＶへ格納される。アップロードサーバＳＶは、格納された広告ページを専用線Ｘを介して広告コンテンツデータとしてデータ放送送出装置５０へアップロードする。データ放送送出装置５０は、アップロードされた広告コンテンツデータを多重化装置６０へ送出する。多重化装置６０では、広告コンテンツデータが番組コンテンツデータと多重化され放送データとなる。そして、放送データは送信装置７０により各家庭へ配信される。このようにして、広告ページは各家庭に配信される。
【００２９】
配信された広告ページは、テレビ受信機のリモコンに設けられているｄボタンを押下することで、広告ページの変更がない限り、いつでも番組コンテンツと関係なく表示させることができる。
まず、視聴者がリモコンのｄボタンを押下すると、図４に示すように、番組コンテンツが左上に表示された残余の画面に、データ放送のメニュー画面ＭＮが表示される。本実施の形態では、「本日のお得情報」の表示部分Ｘ１が、広告ページへリンクしている。
【００３０】
視聴者はリモコンを操作して広告ページへのリンクをたどると、図５に示すリストページＰ１がトップページとして表示される。リストページＰ１には、右側半分に各企業の広告の見出しＴの一覧である見出しリストＬ１が掲載され、左下側には、見出しＴを検索するための検索エリアＫが設けられている。また、リストページＰ１の右下には、見出しの総件数及び表示件数が表示されている。リストページＰ１の左下には、リモコンＲの４色つきボタン（機能選択ボタン）に対応させた操作ボタンが表示されている。本実施の形態では、操作ボタンの黄色ボタンＹＢが「トップへ」、緑色ボタンＧＢが「次の一覧」、赤色ボタンＲＢが「前の一覧」となっている。また、青色ボタンＢＢには何も割り当てられていない。
【００３１】
見出しＴには、時限での特売を示すタイムセール情報が含まれている広告コンテンツを示す時計マークＭ１が付与されているものがある。この時計マークＭ１が付与されていることで、視聴者はタイムリーな情報であることが一目で判別できる。更に、見出しＴには、視聴者に注目させたい広告コンテンツを示す感嘆符である「！」マークＭ２が付与されている。
【００３２】
検索エリアＫには、項目入力欄として、広告地域入力欄Ｒ１と、カテゴリ選択欄Ｒ２とが設けられている。
視聴者は、居住する地域の情報を得たいものであり、遠方となる地域の広告までは要らないものである。見出しＴを広告の地域で絞り込みたい場合には、テレビ受信機が設置されている現在地の郵便番号が広告地域入力欄Ｒ１に表示されているので、表示されている現在地の郵便番号でよければ、「検索する」ボタンＢ１を押下する。郵便番号を変更した場合には、新たな郵便番号を入力して、「検索する」ボタンＢ１を押下する。「検索する」ボタンＢ１を押下することで、広告ページの郵便番号読取手段Ｊ１３として機能するプログラムが、広告地域入力欄Ｒ１の郵便番号を地域識別情報としてリスト閲覧制御手段Ｊ１４へ渡す。リスト閲覧制御手段Ｊ１４として機能するプログラムが、郵便番号に基づいて、見出しＴに関連付けられた広告地域情報を検索し、該当する見出しＴを選択的に表示する。リストページに視聴者が所在する地域の見出しＴのみが選択表示されるので、視聴者は必要とする地域の情報を素早く得ることができる。なお、本実施の形態では、地域識別情報を郵便番号としているが、電話番号の市外局番でも、住所としてもよい。
【００３３】
また、視聴者は、カテゴリで絞り込みたい場合には、カテゴリ選択欄Ｒ２にてカテゴリを選択する。本実施の形態では、カテゴリとして「お買物・ショップ」、「たべる・のむ」、「トラベル・レジャー」、「くらし・その他」の４つに分類されており、これらのカテゴリがカテゴリ情報としてそれぞれの見出しＴに関連付けられている。カテゴリ選択欄Ｒ２には、これらの４つのカテゴリが選択可能に表示される。
カテゴリ選択欄Ｒ２で選択されたカテゴリをカテゴリ選択情報として、リスト閲覧制御手段Ｊ１４が、このカテゴリ選択情報に基づいて見出しＴを絞り込むことで、視聴者は分類された広告のうち必要とする分類の広告を、素早く選択することができる。
【００３４】
視聴者は、リストページＰ１の次の見出しリストを閲覧したい場合には、リモコンの機能選択ボタンである緑色ボタンを押下する。そうすることで、次のページに該当する見出しリストＬ２（図６参照）が表示される。
【００３５】
２ページ目の見出しリストＬ２に表示された見出しＴは、トップページとして表示された見出しリストＬ１より閲覧されにくい傾向にある。広告の掲載を依頼した広告企業にとっては、その企業の見出しが２ページ目以降となる見出しリストＬ２に掲載されてしまうと、トップページに掲載された企業との間に不公平感が生じる。視聴者にとっても、トップページに位置するリストページの見出しリストＬ１はいつ見ても同じという印象ができてしまう。そこで、本実施の形態では、データ放送送出装置５０が、数十分ごとにトップページの見出しリストを入れ替えた広告ページを送出する。このページの入れ替えは、２ページ目以降を順番にトップページとしたり、ランダムにトップページとしたりすることができる。広告の見出しＴが当初見出しリストの２ページ目以降に位置した広告企業であっても、時間の経過によりトップページと入れ替わるので、広告企業は公平感が得られる。また、視聴者は、手軽に、かつ新鮮な気持ちで広告ページを閲覧することができる。
なお、本実施の形態では、トップページの入れ替えを数十分ごととしているが、時間間隔は適宜調整することが可能である。
【００３６】
視聴者は、２ページ目に表示された見出しリストＬ２から閲覧したい見出しＴを選択する。この選択により該当する広告コンテンツページＰ２（図７参照）が表示される。視聴者は、見出しＴにより興味が湧き、この見出しＴにリンクされた広告コンテンツページＰ２を閲覧することで、より詳しい情報を得ることができる。
【００３７】
視聴者は、広告コンテンツページＰ２を閲覧が終わると、右下に位置する「一覧へ戻る」ボタンＢ２を押下することで、２ページ目として表示された見出しリストＬ２のリストページＰ１（図６参照）へ戻る。このとき、数十分ごとにトップページが入れ替わり、２ページ目として表示されていた見出しリストＬ２とトップページとして表示されていた見出しリストＬ１とが入れ替わっていると、２ページ目に戻ったつもりが、見出しリストＬ１となり、トップページに戻ると、見出しリストＬ２となっているので、視聴者は違和感を憶えることになるだけでなく、広告コンテンツページＰ２のリンク元の見出しリストＬ２を探すのに操作が煩雑となる。
【００３８】
そこで本実施の形態では、トップページであるリストページＰ１の閲覧を開始した時点から、見出しリストＬ２、そして広告コンテンツページＰ２と視聴者が閲覧し、広告コンテンツページＰ２の「トップへ」が割り当てられた黄色ボタンＹＢを押下して広告ページの閲覧が終了するまでの間は、見出しリスト間の入れ替わりがないようにしている。そうすることで、視聴者に違和感なくスムーズに閲覧できる広告ページを提供することができる。
【００３９】
広告企業は、例えば、タイムセールを行うことを急に決定した場合には、広告コンテンツページに掲載されるタイムセールの内容を示すタイムセール情報を端末装置ＴＭにて作成し、タイムセール情報の掲載要求を示すタイムセール識別情報と共に、アップロードサーバＳＶへ格納する。アップロードサーバＳＶは、タイムセール情報とタイムセール識別情報とをデータ放送送出装置５０へアップロードする。データ放送送出装置５０は、アップロードされたタイムセール情報及びタイムセール識別情報を、多重化装置６０を介して送信装置７０により広告主から指定された時間に各家庭へ配信する。
【００４０】
リスト閲覧制御手段Ｊ１４は、配信されたタイムセール識別情報により見出しリストの該当する見出しＴに時計マークＭ１を付与する。また、広告コンテンツ閲覧制御手段Ｊ２３は、該当する広告コンテンツページが閲覧されるときに、指定されたエリアにタイムセール情報を表示する。
指定時間後に閲覧した視聴者は、図５に示す見出しＴに時計マークＭ１が付与されたリストページＰ１を参照し、図８に示す特売表示エリアＡにタイムセール情報が表示された広告コンテンツページＰ２を参照することで、タイムセールをやっていることを認識することができる。従って、広告企業は指定した時間に視聴者に対してタイムセールの情報を提供することができ、視聴者はリアルタイムにタイムセールを知ることができる。
【００４１】
また、データ放送送出装置５０は、予め指定されたタイムセールの終了時間、または終了時間の所定時間前となると、端末装置ＴＭで作成され、アップロードサーバＳＶを介して受信したタイムセール情報を掲載しない旨のタイムセール識別情報を送出する。広告コンテンツ閲覧制御手段Ｊ２３は、特売表示エリアＡに表示していたにタイムセール情報を元に戻すことで、図７に示すタイムセールを行う前の広告コンテンツページＰ２となる。このようにして、タイムセールが終わり、不要な情報となった特売情報を、通常の広告コンテンツページ（元の広告コンテンツページ）に戻すことができ、広告コンテンツページの限られた表示領域を有効活用することができる。
一方、リストページＰ１の見出しＴの先頭には、タイムセールを示す時計マークＭ１が無くなり、元の状態となっている。つまり、元々、先頭に感嘆符「！」マークＭ２が付与されていた見出しＴであれば「！」マークＭ２が表示され、マークの表示がなければ、マークなしの見出しＴとなる。
【００４２】
なお、本実施の形態では、タイムリーな情報としてタイムセールを例に説明したが、行列ができる飲食店やスイーツの店舗で、現在、行列が少ない、またはお店が空いているなどのリアルタイムな情報をタイムリーな情報として広告コンテンツページに掲載するようにしてもよい。このようにタイムセールに関する情報や店舗の混み具合に関する情報など、店舗に関して時間的に変化する状況に応じた情報を視聴者へ提供することができる。
【００４３】
このような広告ページをデータ放送送出装置５０が送出するので、視聴者にとっては簡易な操作で必要な情報が得ることができると共に、新鮮な気持ちで広告ページを閲覧することができ、広告企業にとっては視聴者に積極的にアピールすることができると共に、公平感が得られる。
【産業上の利用可能性】
【００４４】
本発明は、視聴者に対して有効な情報を、手軽に、かつリアルタイムに提供できるので、放送局で実施するのに好適である。
【符号の説明】
【００４５】
１  放送システム
２  テレビ受信機
Ｒ  リモコン
ＳＶ  アップロードサーバ
ＴＭ  端末装置
Ｗ  インターネット
Ｘ  専用線
Ｂｘ  局内設備
１０  回線センター
２０  ＣＭバンク
３０  番組バンク
４０  番組コンテンツ送出装置
４１  マスターマトリックス装置
４２  制御装置
４３  情報付加装置
５０  データ放送送出装置
６０  多重化装置
Ｂｙ  放送塔設備
７０  送信装置
Ｊ１１  見出しリスト情報
Ｊ１２  設定情報
Ｊ１３  郵便番号読取手段
Ｊ１４  リスト閲覧制御手段
Ｊ２１  広告コンテンツ情報
Ｊ２２  タイムセール情報
Ｊ２３  広告コンテンツ閲覧制御手段
ＭＮ  メニュー画面
Ｘ１  「本日のお得情報」の表示部分
Ｐ１  リストページ
Ｐ２  広告コンテンツページ
Ｌ１，Ｌ２  見出しリスト
Ｔ  見出し
Ｍ１  時計マーク
Ｍ２  「！」マーク
Ｋ  検索エリア
ＹＢ  黄色ボタン
ＧＢ  緑色ボタン
ＲＢ  赤色ボタン
ＢＢ  青色ボタン
Ｒ１  広告地域入力欄
Ｒ２  カテゴリ選択欄
Ｂ１  「検索する」ボタン
Ｂ２  「一覧へ戻る」ボタン
Ａ  特売表示エリア
【図１】
2010268152.tif 000003
【図２】
2010268152.tif 000004
【図３】
2010268152.tif 000005
【図４】
2010268152.tif 000006
【図５】
2010268152.tif 000007
【図６】
2010268152.tif 000008
【図７】
2010268152.tif 000009
【図８】
2010268152.tif 000010